(57)【特許請求の範囲】
【請求項１】
吸込グリルを設けた空気調和機本体の両端にそれぞれ樹脂製のサイドカバーを備えた天吊型空気調和装置において、
前記空気調和機本体の側面に側方へ突出する吊り金具を備え、この吊り金具は、両端側に、天井から吊り下げられた吊りボルトを引っかける溝を夫々備えると共に、これら溝の間に、前記空気調和機本体の側方へ突出する係合部を一体的に備え、前記サイドカバーの内面には前記吸込グリルを上にしたときの前記係合部の下面に係合する凸部を設けたことを特徴とする天吊型空気調和装置。
【発明の詳細な説明】
【０００１】
【発明の属する技術分野】
本発明は、天吊型空気調和装置のサイドカバーの取付構造に関する。
【０００２】
【従来の技術】
一般に、天吊型空気調和装置の空気調和機本体は出荷に際して吸込グリル等を備える下面を保護するために下面を上方に向けた状態で梱包・輸送される。従って、施工現場において梱包を解くときには空気調和機本体の天地は逆になった状態にある。このような状態の空気調和機本体の取付けを行うときには空気調和機本体の両端の樹脂製サイドカバーに手を掛けて持ち上げることがある。
【０００３】
【発明が解決しようとする課題】
しかしながら、従来、空気調和機本体の両サイドに取り付けられるサイドカバーは意匠上の美観が目的であるために、空気調和機本体を支持する程度の強度を有しておらず、上述のようにサイドカバーに手を掛けて持ち上げたときには、空気調和機本体とサイドカバーとの結合部分が破損するおそれがある。
【０００４】
従来では、このような事態を回避するため、空気調和機本体を梱包する箱にサイドカバーに手を掛けて持ち上げることを禁止する旨を記載していたが、このように禁止する旨を記載しただけでは、空気調和機本体の取付けを行う作業者に注意徹底させることは困難であり、作業者が誤ってサイドカバーに手を掛けて持ち上げて、結合部分を破損させるトラブルが解消されていない。
【０００５】
本発明の目的は、上述した従来の技術が有する課題を解消し、サイドカバーに荷重が加えられてもサイドカバーと空気調和機本体との結合部分が破損しにくいサイドカバーの取付構造を提供することにある。
【０００６】
【課題を解決するための手段】
上記目的を達成するために、請求項１記載の発明は、吸込グリルを設けた空気調和機本体の両端にそれぞれ樹脂製のサイドカバーを備えた天吊型空気調和装置において、前記空気調和機本体の側面に側方へ突出する吊り金具を備え、この吊り金具は、両端側に、天井から吊り下げられた吊りボルトを引っかける溝を夫々備えると共に、これら溝の間に、前記空気調和機本体の側方へ突出する係合部を一体的に備え、前記サイドカバーの内面には前記吸込グリルを上にしたときの前記係合部の下面に係合する凸部を設けたことを特徴とするものである。
【０００８】
この発明によれば、たとえ天吊型空気調和機本体の天面が下方に向いた状態でサイドカバーに手を掛けて持ち上げたとしても、凸部と係合部とが係合しているため、サイドカバーとの結合部分は破損しにくい。また、空気調和機本体が梱包状態で輸送されているときに落下しても、空気調和機本体あるいはサイドカバーの結合部分は破損しにくい。
【０００９】
【発明の実施の形態】
以下、本発明の一実施形態を図面に基づいて説明する。
【００１０】
図１において、符号１は空気調和機本体を示す。この空気調和機本体１は天井から吊り下げられた吊りボルト３に引っかけられて室内天井板５の下面に設置・固定されている。空気調和機本体１には電装箱１１、送風機１３、熱交換器１５、冷媒配管２９等の各種機器類が殆ど隙間なく収納されている。送風機１３は、図２に示すように四台の送風機ユニット２１〜２４からなりこれらは一台のモータ２５で駆動される回転軸２７上に固定・配置されている。
【００１１】
熱交換器１５は、図１に示すようにフィン・チューブ型の熱交換器であり、空気調和機本体１内に斜めに設置される。この熱交換器１５には冷媒配管２９が接続され、この冷媒配管２９は空気調和機本体１の外に導出され、室外機（図示せず）の圧縮機、減圧装置、室外熱交換器等に接続される。
【００１２】
この熱交換器１５の下方には、図１に示すように発泡スチロール製のドレンパン３１が設置され、このドレンパン３１の下面には板金製パネル３３が設置される。ドレンパン３１のドレン溜まり３１ａには、図２に示すようにフレキシブルチューブ３２を介してドレンポンプユニット３５が接続され、このドレンポンプユニット３５に収容されるドレンポンプは、ドレン溜まり３１ａに収集されたドレンを吸い上げて空気調和機本体１の外に排出する。
【００１３】
送風機１３の下方には、図１に示すように樹脂製の吸込グリル３７が開閉可能に設置され、この吸込グリル３７には空気清浄用フィルタ３９が取り付けられる。そして、送風機１３が駆動されると吸込グリル３７およびフィルタ３９を通じて室内の空気が空気調和機本体１内に吸い込まれ、この空気は熱交換器１５で熱交換された後に、吹出口４１を通じて室内に吹き出される。４３は空気調和機本体１の略中央を横断的に仕切る中仕切板である。
【００１４】
前記構成の天吊型空気調和装置では、出荷に際して、空気調和機本体１を梱包する。この場合には、吸込グリル３７を備える下面を保護するために当該下面を上方に向けた状態（例えば図４）で梱包し、かつ輸送される。従って施工現場において梱包を解くときには、空気調和機本体１の天地は逆である。この状態の空気調和機本体１の据え付けを行うときには、空気調和機本体１の両端の樹脂製サイドカバー４５（図２）に手を掛けて持ち上げることがある。
【００１５】
この実施形態では、空気調和機本体１の両側面に、図２に示すように、樹脂製のサイドカバー４５が取り付けられる。そして、サイドカバー４５は、図３（Ｂ），（Ｃ）に示すように内側に凹み部４５ａを有する。サイドカバー４５の内面には３個のフック４７が一体に設けられ、通常、これらのフック４７を、図４に示すように、空気調和機本体１のフック穴５１に引っかけることによって、当該サイドカバー４５が空気調和機本体１に結合される。これらフック４７による結合だけでは、空気調和機本体１の両端の樹脂製サイドカバー４５（図２）に手を掛けて持ち上げる場合に、フック４７が破損するおそれがある。
【００１６】
これを解消するため、この実施形態では、図４に示すように、空気調和機本体１の側面に、３個のねじ５３によってねじ止めされた、側方へ突出する吊り金具５５が設けられ、この吊り金具５５には一体的に係合部５５ａが形成される。そして、サイドカバー４５の内面には吸込グリル３７を上にしたときの係合部５５ａの下面にその上面が当接して係合する凸部４９が一体的に形成される。尚、この吊り金具５５の溝５６には、図１に示すように、吊りボルト３が引っかけられる。
【００１７】
この実施形態では、サイドカバー４５の内面に凸部４９が設けられ、この凸部４９は、図４に示す状態において、空気調和機本体１の側面における係合部５５ａの下面に係合するので、たとえ図４に示す状態において、空気調和機本体１のサイドカバー４５に手を掛けて持ち上げたとしても、凸部４９と係合部５５ａとの係合によって空気調和機本体１の重量が支えられるので、サイドカバー４５と空気調和機本体１との結合部分（フック４７）は破損しにくい。また、空気調和機本体１が梱包状態で輸送されているときに落下しても空気調和機本体１あるいはサイドカバー４５の結合部分は破損しにくい。
【００１８】
以上、一実施形態に基づいて本発明を説明したが、本発明はこれに限定されるものではない。例えば、係合部５５ａは吊り金具５５に形成せずに、空気調和機本体１の側面に別部材で形成してもよい。また、凸部４９および係合部５５ａの位置や形状は上述した位置や形状に限定されない。
【００１９】
【発明の効果】
これらの発明によれば、本体の側面に側方へ突出する凸部を設け、サイドカバーの内面には吸込グリルを上にしたときの凸部の下面に係合する係合部を設けたので、たとえ空気調和機本体の吸込グリル面が上方に向いた状態でサイドカバーに手を掛けて持ち上げたとしても、サイドカバーの結合部分は破損しにくい。また、空気調和機本体が梱包状態で輸送されているときに落下しても、空気調和機本体あるいはサイドカバーの結合部分は破損しにくい。
【図面の簡単な説明】
【図１】本発明による空気調和装置の一実施形態を示す側面断面図である。
【図２】同じく内部構造を示す平面図である。
【図３】空気調和装置のサイドカバーをそれぞれ示し、（Ａ）は平面図、（Ｂ）は上面図、（Ｃ）は背面図である。
【図４】サイドカバーの空気調和機本体に対する取付けを説明する図である。
【符号の説明】
１  空気調和機本体
４５  サイドカバー
４７  フック
４９  凸部
５１  フック穴
５３  ねじ
５５  支持金具
５５ａ  係合部
【図１】
0003615367.tif 000002
【図２】
0003615367.tif 000003
【図３】
0003615367.tif 000004
【図４】
0003615367.tif 000005